(57)【要約】【課題】別部材による把手を排除してコストダウンを図りつつ、別部材による把手がない分、外観の意匠性を向上させることができると共に、収納空間の通気性も確保できる。【解決手段】左右一対の側面板２，２と、上下一対の水平板３，３とにより構成される収納空間４と、当該収納空間４の前面側に形成された開口部４ａに開閉自在に配置され、収納空間４の前面側を塞ぐように設けられた扉板５（５ａ，５ｂ）と、を備えた収納家具１において、扉板５ａ，５ｂの端面５１ａ，５１ｂに、当該扉板５ａ，５ｂの後面側に位置する収納空間４と、当該扉板５ａ，５ｂの前面側に位置する外部空間とを連通し、人の手の指先が挿入可能な程度の幅からなる隙間部１０を有するようにした。【選択図】図３
2014045825.tif 000002
【特許請求の範囲】
【請求項１】
左右一対の側面板と、上下一対の水平板とにより構成される収納空間と、当該収納空間の前面側に形成された開口部に開閉自在に配置され、前記収納空間の前面側を塞ぐように設けられた扉板と、を備えた収納家具において、
前記扉板の端面に、当該扉板の後面側に位置する前記収納空間と、当該扉板の前面側に位置する外部空間とを連通し、人の手の指先が挿入可能な程度の幅からなる隙間部を有することを特徴とする収納家具。
【請求項２】
請求項１に記載の収納家具において、
前記扉板は、前記隙間部を介して複数枚設けられており、
１つの前記隙間部から当該隙間部に面して配置される前記複数枚の扉板の後面に人の手の指先を掛けることが可能となっていることを特徴とする収納家具。
【請求項３】
請求項１に記載の収納家具において、
前記扉板は、前記収納空間に出し入れ自在に設けられる引き出し収納の前面板であることを特徴とする収納家具。
【請求項４】
請求項１〜３のいずれか一項に記載の収納家具において、
前記扉板の端面は、当該扉板の前面側から後面側に向かって前記隙間部を広げるように傾斜した傾斜面とされていることを特徴とする収納家具。
【請求項５】
請求項１〜４のいずれか一項に記載の収納家具において、
前記隙間部の前記収納空間側であって、少なくとも当該隙間部に人の手の指先を挿入した際に当該指先が接触しない位置に目隠し板を備えることを特徴とする収納家具。
【請求項６】
請求項１〜５のいずれか一項に記載の収納家具において、
前記一対の側面板または前記一対の水平板間に固定される仕切板を備えており、
前記仕切板の端面は、前記側面板および前記水平板の端面と同一平面上に配置されていることを特徴とする収納家具。
【請求項７】
請求項６に記載の収納家具において、
前記開口部の閉塞時に前記扉板の後面が、前記側面板、水平板および仕切板のうち、少なくとも２つの前記端面に当接することを特徴とする収納家具。
【発明の詳細な説明】
【技術分野】
【０００１】
本発明は、収納家具に関する。
【背景技術】
【０００２】
一般に収納家具は、左右一対の側面板と、上下一対の水平板とにより構成される収納空間を有しており、この収納空間の前面側に形成された開口部に、当該収納空間の前面側を塞ぐ扉板が開閉自在に設けられることで構築されている。そして、このような収納家具では扉板に把手が設けられ、当該把手を利用して扉板を開閉するものが多い。
【０００３】
ところで、近年、意匠性の向上や部品数低減によるコスト削減等の観点から、このような収納家具において、扉板を開閉するための把手を省くデザインのものが増えてきている（例えば、特許文献１参照）。
すなわち、かかる特許文献１に記載の収納家具では、収納家具本体の上下方向に複数の収納空間（収納凹部）と、これら収納空間の間に介在される空所とを隣接配置している。そして、これら収納空間の前面には扉板（扉）が開閉自在に取り付けられ、当該扉板の上下方向の端部を空所側に突出させると共に、この突出させた端部を把手として機能させるようにしている。このため、かかる収納家具では、扉板の端部を把手として機能させることで、特別な部材（把手用の部品）を設ける必要をなくせるため、製品コストの削減を図ることができる。しかも、扉板から突出していることから邪魔になる場合があった把手を省きつつ、扉板を十分に開閉できる利点を備えている。
【先行技術文献】
【特許文献】
【０００４】
【特許文献１】特開２００１−０８７０５５号公報
【発明の概要】
【発明が解決しようとする課題】
【０００５】
しかしながら、上述した特許文献１の収納家具では、扉板の端部を空所側に突出させて把手として機能させることから、便宜上、当該端部に手を掛け易くするために空所が広めに設けられている。換言すれば、空所を介在して上下に隣接するように配設された扉板同士の端部間に広めの隙間が形成されている。また、この空所は隣接する収納空間のように扉板が設けられていないため、収納家具外方の外部空間に露出した状態となっている。
従って、空所を有効活用するべく、扉板のない収納空間として機能させようとした場合、当該空所が外部空間に露出しているため、収納するものに制限が生じる問題があった。つまり、空所には貴重品や外部空間からの塵や埃などによって汚れては困るものは収納できない制限が生じてしまう。よって、このような空所は収納するものに制限を生じる収納空間としてしか利用できず、広めに確保した場合、無駄なスペースとなってしまう虞があった。このため、このような空所を有効活用し得る収納家具の実現が望まれていた。
【０００６】
そこで、本発明は上述した事情に鑑みてなされたもので、別部材による把手を排除してコストダウンを図りつつ、別部材による把手がない分、外観の意匠性を向上させることができると共に、収納空間の通気性も確保できる収納家具を提供することを目的とする。
【課題を解決するための手段】
【０００７】
請求項１に記載の発明は、例えば図１〜図７に示すように、左右一対の側面板と、上下一対の水平板とにより構成される収納空間と、当該収納空間の前面側に形成された開口部に開閉自在に配置され、前記収納空間の前面側を塞ぐように設けられた扉板と、を備えた収納家具において、
前記扉板の端面に、当該扉板の後面側に位置する前記収納空間と、当該扉板の前面側に位置する外部空間とを連通し、人の手の指先が挿入可能な程度の幅からなる隙間部を有することを特徴とする。
【０００８】
請求項１に記載の発明によれば、収納空間の前面側に形成された開口部を塞ぐように開閉自在に設けられた扉板の端面に、当該扉板の後面側に位置する収納空間と、当該扉板の前面側に位置する外部空間とを連通し、人の手の指先が挿入可能な程度の幅からなる隙間部を有するので、扉板表面から突出して邪魔な把手がなくても当該隙間部に指先を挿入して扉板を開閉することができる。よって、別部材による把手を排除してコストダウンを図りつつ、別部材による把手がない分、外観の意匠性を向上させることができると共に、隙間部を通じて収納空間の通気性も確保できる。とりわけ、隙間部を複数箇所に設けることにより、通気性を確保する効果も絶大となる。
【０００９】
請求項２に記載の発明は、例えば図１〜４，図６，図７に示すように、請求項１に記載の収納家具において、
前記扉板は、前記隙間部を介して複数枚設けられており、
１つの前記隙間部から当該隙間部に面して配置される前記複数枚の扉板の後面に人の手の指先を掛けることが可能となっていることを特徴とする。
【００１０】
請求項２に記載の発明によれば、扉板が隙間部を介して複数枚設けられており、１つの隙間部から当該隙間部に面して配置される複数枚の扉板の後面に人の手の指先を掛けることが可能となっている、すなわち別部材による把手を必要としない扉板が複数枚設けられているので、収納家具としてのバリエーションを豊富にできる。また、所望する位置の収納空間に対応した扉板を開閉することができるので、当該収納空間へのものの出し入れを便利にでき、収納空間に対するものの収納の利便性を向上させることができる。
【００１１】
請求項３に記載の発明は、例えば図４および図５に示すように、請求項１に記載の収納家具において、
前記扉板は、前記収納空間に出し入れ自在に設けられる引き出し収納の前面板であることを特徴とする。
【００１２】
請求項３に記載の発明によれば、扉板は収納空間に出し入れ自在に設けられる引き出し収納の前面板であってもよい。この場合、収納家具としてのバリエーションを更に豊富にできる。しかも、扉板は収納空間に出し入れ自在な引き出し収納の前面板であるので、棚収納に比べて、収納空間を奥の位置まで有効に利用することができると共に、当該奥の位置へのものの出し入れが容易である利点も有している。
【００１３】
請求項４に記載の発明は、請求項１〜３のいずれか一項に記載の収納家具において、
前記扉板の端面は、当該扉板の前面側から後面側に向かって前記隙間部を広げるように傾斜した傾斜面とされていることを特徴とする。
【００１４】
請求項４に記載の発明によれば、扉板の端面が当該扉板の前面側から後面側に向かって（すなわち、収納家具における外部空間側から収納空間側へ向かって）隙間部を広げるように傾斜した傾斜面とされていることから、当該隙間部に指先を挿入し易く、また指先を扉板の端面に引っ掛け易くすることができるため、扉板を開閉し易くすることができる。
また、このように扉板の端面が傾斜面とされているため、隙間部を介して外部空間側から収納空間内に収納されたものを覗き易く（つまり、目視によって確認し易く）することができる。
【００１５】
請求項５に記載の発明は、請求項１〜４のいずれか一項に記載の収納家具において、
前記隙間部の前記収納空間側であって、少なくとも当該隙間部に人の手の指先を挿入した際に当該指先が接触しない位置に目隠し板を備えることを特徴とする。
【００１６】
請求項５に記載の発明によれば、隙間部の収納空間側であって、少なくとも当該隙間部に人の手の指先を挿入した際に当該指先が接触しない位置に目隠し板を備えるため、隙間部を外部空間側から正面視した際には中身（収納空間内）が見え難く、斜め方向から覗いた際には中身を目視で確認できる利点を有することができる。
【００１７】
請求項６に記載の発明は、例えば図２および図３に示すように、請求項１〜５のいずれか一項に記載の収納家具において、
前記一対の側面板または前記一対の水平板間に固定される仕切板を備えており、
前記仕切板の端面は、前記側面板および前記水平板の端面と同一平面上に配置されていることを特徴とする。
【００１８】
請求項６に記載の発明によれば、一対の側面板または水平板間に固定され、その端面が側面板および水平板の端面（すなわち、例えばこれら一対の側面板と水平板とにより構成される収納空間の前面側に位置する端面）と同一平面上に配置されている仕切板を備えているため、収納家具の剛性・耐力を格段と高めることができる。よって、仕切板のない枠組み（それぞれ一対の側面板および水平板）のみの収納家具に比べて剛性・耐力が向上する分、当該枠組みのみの収納家具よりも大きな寸法の収納家具を形成することができる。
【００１９】
請求項７に記載の発明は、請求項６に記載の収納家具において、
前記開口部の閉塞時に前記扉板の後面が、前記側面板、水平板および仕切板のうち、少なくとも２つの前記端面に当接することを特徴とする。
【００２０】
請求項７に記載の発明によれば、収納空間の開口部に開閉自在に配置される扉板の後面が、当該開口部の閉塞時に側面板、水平板および仕切板のうち、少なくとも２つの端面に接するようになっているので、当該開口部の閉塞状態において、扉板を所定の位置（すなわち、側面板、水平板および仕切板のうち、少なくともいずれか２つの端面と同一平面上）に支持することができる。
【発明の効果】
【００２１】
本発明によれば、収納空間の前面側に形成された開口部を塞ぐように開閉自在に設けられた扉板の端面に、当該扉板の後面側に位置する収納空間と、当該扉板の前面側に位置する外部空間とを連通し、人の手の指先が挿入可能な程度の幅からなる隙間部を有するので、扉板表面から突出して邪魔な把手がなくても当該隙間部に指先を挿入して扉板を開閉することができる。よって、別部材による把手を排除してコストダウンを図りつつ、別部材による把手がない分、外観の意匠性を向上させることができると共に、収納空間の通気性も確保できる収納家具を提供することができる。
【図面の簡単な説明】
【００２２】
【図１】本発明の一実施形態に係る収納家具の外観を概略的に示す斜視図である。
【図２】図１の収納家具を正面から見て示す平面図である。
【図３】図２の収納家具におけるＡ−Ａ断面を示す断面図である。
【図４】本発明に係る収納家具の他の一例の縦断面を概略的に示す断面図である。
【図５】図４の収納家具における要部を拡大して示す要部拡大断面図である。
【図６】（ａ）、（ｂ）共に、本発明に係る収納家具の他の一例の外観を概略的に示す斜視図である。
【図７】（ａ）、（ｂ）共に、本発明に係る収納家具の他の一例の外観を概略的に示す斜視図である。
【発明を実施するための形態】
【００２３】
以下、図面を参照して本発明の実施の形態について説明する。
図１は本発明の一実施形態に係る収納家具の外観を概略的に示す斜視図であり、図２は図１の収納家具を正面から見て示す平面図であり、図３は図２の収納家具におけるＡ−Ａ断面を示す断面図である。
【００２４】
図１〜図３に示すように、本実施形態の収納家具１は、左右一対の側面板２，２と、上下一対の水平板３，３とにより構成される収納空間４と、当該収納空間４の前面側に形成された開口部４ａに開閉自在に配置され、収納空間４の前面側を塞ぐように設けられた扉板５と、を備えている。
【００２５】
また、左右一対の側面板２，２の間には、これら側面板２，２と平行して上下一対の水平板３，３間に固定されることで架設された縦方向（上下方向）の仕切板６が設けられている。さらに、上下一対の水平板３，３の間には、これら水平板３，３と平行して側面板２および縦方向の仕切板６間に固定されることで架設された横方向（左右方向）の仕切板７ａ，７ｂ、７ｃが設けられている。そして、これら縦方向の仕切板６および横方向の仕切板７ａ，７ｂ、７ｃの端面（前方側の端面）は、側面板２，２および水平板３，３の端面２ａ，３ａと同一平面上に配置されている。
【００２６】
すなわち、収納家具１は、一対の側面板２，２または一対の水平板３，３間に固定され、その端面が、側面板２および水平板３の端面（すなわち、例えばこれら一対の側面板２，２と水平板３，３とにより構成される収納空間４の前面側に位置する端面）と同一平面上に配置される仕切板７ａ，７ｂ，７ｃおよび６を備えるため、収納家具１の剛性・耐力を格段と高めることができるようになっている。よって、仕切板７ａ，７ｂ，７ｃ，６のない枠組み（それぞれ一対の側面板２，２および水平板３，３）のみの収納家具（不図示）に比べて剛性・耐力が向上する分、当該枠組みのみの収納家具よりも大きな寸法の収納家具１を形成することができるようになっている。
【００２７】
また、収納空間４の後面側には背板８が設けられ、当該背板８によって収納空間４の後面側が閉塞されている。なお、ここでは背板８を設けた収納家具１について説明するが、一例であってこれに限られることなく、例えば、収納空間４の後面側には背板８が設けられずに不図示の開口部を有するものであってもよい。
【００２８】
具体的に、本実施形態の場合、収納家具１には、側面板２，２および縦方向の仕切板６に対し、それぞれ上下方向に隣接して複数枚の扉板５（例えば、それぞれ２枚ずつ計６枚の扉板５ａ〜５ｆが）設けられている。すなわち、収納家具１は、一方（例えば、向かって左側）の側面板２に扉板５ａ，５ｂが、縦方向の仕切板６に扉板５ｃ，５ｄが、他方（向かって右側）の側面板２に扉板５ｅ，５ｆが、それぞれ上下方向に隣接して配置され、それぞれヒンジ９等の接合部材を介して開閉自在に取り付けられている。なお、ここでは、扉板５ａ，５ｂが向かって左側に開放される片開きタイプで構成されており、扉板５ｃ〜５ｆは、扉板５ｃ，５ｄが向かって左側に開放され、扉板５ｅ，５ｆが向かって右側に開放される両面開きタイプで構成されているが、一例であってこれに限られることはない。
【００２９】
これら扉板５ａ〜５ｆは、それぞれ上下に対向する端面５１（５１ａ〜５１ｆ）間に、当該扉板５ａ〜５ｆの後面側に位置する収納空間４と、当該扉板５ａ〜５ｆの前面側に位置する外部空間とを連通し、人の手の指先が挿入可能な程度の幅からなる隙間部１０を有している。なお、本実施形態の場合、隙間部１０は、収納家具１の左右方向に延在して同一線上に形成されている。
これにより、これら扉板５ａ〜５ｆは、それぞれ隙間部１０に指先を挿入し、当該隙間部１０に面するいずれかの扉板５ａ〜５ｆの端面５１ａ〜５１ｆから後面側に指先を掛けることで、当該端面５１ａ〜５１ｆを把手として機能させ、開閉可能となっている。
【００３０】
つまり、扉板５は、隙間部１０を介して複数枚設けられており（この場合、６枚の扉板５ａ〜５ｆ）、１つの隙間部１０から当該隙間部１０に面して配置される複数枚の扉板５ａ〜５ｆの後面に人の手の指先を掛けることが可能となっている。
よって、本実施形態の収納家具１は、従来のような扉板の表面に突出して設けられる別部材による把手を必要としない扉板５が複数枚設けられているので、収納家具１としてのバリエーションを豊富にできる利点を備えている。
また、隙間部１０に指先を挿入することによって、所望する位置の収納空間４に対応した扉板５（５ａ〜５ｆ）を開閉することができるので、当該収納空間４へのものの出し入れを便利にでき、収納空間４に対するものの収納の利便性を向上させることができる利点も兼ね備えている。
さらに、隙間部１０を備えることで、収納空間４と外部空間との通気を可能とするので、収納空間４の通気性を確保することもできるようになっている。
【００３１】
また、扉板５（５ａ〜５ｆ）の端面５１（５１ａ〜５１ｆ）は、当該扉板５ａ〜５ｆの前面側から後面側に向かって（すなわち、収納家具１における外部空間側から収納空間４側へ向かって）隙間部１０を広げるように傾斜した傾斜面とされている。
これにより、当該隙間部１０に指先を挿入し易く、また指先を扉板５ａ〜５ｆの端面５１ａ〜５１ｆに引っ掛け易くすることができるため、扉板５ａ〜５ｆを開閉し易くすることができるようになっている。
また、このように扉板５ａ〜５ｆの端面５１ａ〜５１ｆが傾斜面とされているため、隙間部１０を介して外部空間側から収納空間４内に収納されたものを覗き易く（つまり、目視によって確認し易く）することができるようになっている。
【００３２】
さらに、扉板５（５ａ〜５ｆ）は、開口部４ａの閉塞時に扉板５ａ〜５ｆの後面が、側面板２、水平板３および仕切板６，７ａ〜７ｃのうち、少なくとも２つの端面に当接するようになっている。このため、当該開口部４ａの閉塞状態において、扉板５ａ〜５ｆを所定の位置（すなわち、側面板２、水平板３および仕切板６，７ａ〜７ｃのうち、少なくともいずれか２つの端面と同一平面上）に支持することができるようになっている。
【００３３】
さらに、収納家具１は、上述した横方向の仕切板７ａ，７ｂ、７ｃに加えて、これら仕切板７ａ，７ｂ、７ｃと平行して側面板２および縦方向の仕切板６の間に移動自在に設けられる複数枚の棚板１１を備えている。これら棚板１１は、側面板２および縦方向の仕切板６のそれぞれ対向する複数の位置に設けられる孔１２のうち、所望する位置の孔１２に挿入するピン（不図示）を介して、当該所望する任意の位置に配置することが可能となっている。これにより、収納空間４を収納するものに応じて任意に区切ることができるようになっている。
【００３４】
以上、説明したように、本実施形態の収納家具１によれば、収納空間４の前面側に形成された開口部４ａを塞ぐように開閉自在に設けられた扉板５（５ａ〜５ｆ）の端面５１（５１ａ〜５１ｆ）に、当該扉板５ａ〜５ｆの後面側に位置する収納空間４と、当該扉板５ａ〜５ｆの前面側に位置する外部空間とを連通し、人の手の指先が挿入可能な程度の幅からなる隙間部１０を有するので、扉板５ａ〜５ｆの表面から突出して邪魔な把手がなくても当該隙間部１０に指先を挿入して扉板５ａ〜５ｆを開閉することができる。よって、別部材による把手を排除してコストダウンを図りつつ、別部材による把手がない分、外観の意匠性を向上させることができると共に、隙間部１０を通じて収納空間４の通気性も確保できる。とりわけ、隙間部１０を複数箇所に設けることにより、通気性を確保する効果も絶大となる。
【００３５】
また、本実施形態の収納家具１によれば、扉板５が隙間部１０を介して複数枚設けられており（例えば、６枚の扉板５ａ〜５ｆが）、１つの隙間部１０から当該隙間部１０に面して配置される複数枚の扉板５ａ〜５ｆの後面に人の手の指先を掛けることが可能となっている。すなわち、別部材による把手を必要としない扉板５ａ〜５ｆが複数枚設けられている。このため、収納家具１としてのバリエーションを豊富にできる。また、所望する位置の収納空間４に対応した扉板５ａ（または、扉板５ｂ〜５ｆの少なくともいずれか）を開閉することができるので、当該収納空間４へのものの出し入れを便利にでき、収納空間４に対するものの収納の利便性を向上させることができる。
【００３６】
また、本実施形態の収納家具１によれば、扉板５ａ〜５ｆの端面５１ａ〜５１ｆが当該扉板５ａ〜５ｆの前面側から後面側に向かって（すなわち、収納家具１における外部空間側から収納空間４側へ向かって）隙間部１０を広げるように傾斜した傾斜面とされていることから、当該隙間部１０に指先を挿入し易く、また指先を扉板５ａ〜５ｆの端面５１ａ〜５１ｆに引っ掛け易くすることができるため、扉板５ａ〜５ｆを開閉し易くすることができる。
また、このように扉板５ａ〜５ｆの端面５１ａ〜５１ｆが傾斜面とされているため、隙間部１０を介して外部空間側から収納空間４内に収納されたものを覗き易く（つまり、目視によって確認し易く）することができる。
【００３７】
また、本実施形態の収納家具１によれば、一対の側面板２，２または水平板３，３間に固定され、その端面が側面板２および水平板３の端面（すなわち、例えばこれら一対の側面板２，２と水平板３，３とにより構成される収納空間４の前面側の端面）と同一平面上に配置されている仕切板６，７ａ〜７ｃを備えているため、収納家具１の剛性・耐力を格段と高めることができる。よって、仕切板６，７ａ〜７ｃのない枠組み（それぞれ一対の側面板２，２および水平板３，３）のみの収納家具に比べて剛性・耐力が向上する分、当該枠組みのみの収納家具よりも大きな寸法の収納家具１を形成することができる。
【００３８】
しかも、収納空間４の開口部４ａに開閉自在に配置される扉板５ａ〜５ｆの後面が、当該開口部４ａの閉塞時に側面板２、水平板３および仕切板６，７ａ〜７ｃのうち、少なくとも２つの端面に接するようになっているので、当該開口部４ａの閉塞状態において、扉板５ａ〜５ｆを所定の位置（すなわち、側面板２、水平板３および仕切板６，７ａ〜７ｃのうち、少なくともいずれか２つの端面と同一平面上）に支持することができる。
【００３９】
なお、本発明は、上述した実施形態に限定されることなく、本発明の趣旨を逸脱しない範囲において、適宜、種々の改良および設計の変更が可能である。
【００４０】
具体的には、上述した実施形態では、複数の扉板５ａ〜５ｆが設けられる収納家具１について説明しているが、一例であってこれに限られることはなく、この他、例えば図３との対応部分に同一符号を付した図４や、図４の要部を拡大した図５に示すように、上方が上述した実施形態の収納家具１と同様の扉板５を備えた棚収納からなり、下方が側面板２，２間に亙って水平板３，３と平行して設けられる仕切板２１によって区切られた（区画された）収納空間４に、出し入れ自在に設けられる引き出し収納からなる収納家具２０に適用するようにしてもよい。この場合、扉板としては、収納家具２０における上方の扉板５および、下方の引き出し収納における前面板５ｇ〜５ｋ等に適用することができる。
【００４１】
これによれば、収納家具２０を棚収納に止まらず、引き出し収納としても実現可能となるため、収納家具としてのバリエーションを更に豊富にできる。しかも、扉板５は収納空間に出し入れ自在な引き出し収納の前面板５ｇ〜５ｋであるので、棚収納に比べて、収納空間４を奥の位置まで有効に利用することができると共に、当該奥の位置へのものの出し入れが容易である利点も有している。
【００４２】
また、本発明の収納家具は、図４および図５に示すように、隙間部１０の収納空間４側であって、少なくとも当該隙間部１０に人の手の指先を挿入した際に当該指先が接触しない位置に目隠し板２２を備えることが望ましい。
これによれば、目隠し板２２によって、隙間部１０を外部空間側から正面視した際には中身（収納空間４内）が見え難く、斜め方向（斜め上方側）から覗いた際には中身を目視で確認できる利点を有することができる。
【００４３】
また、本発明の収納家具は、例えば、図１との対応部分に同一符号を付した図６（ａ）に示すように、複数（例えば、３枚）の扉板３１ａ〜３１ｃを左右方向（横方向）に並列に隣接して設け、当該扉板３１ａ〜３１ｃの端面３２ａ〜３２ｃに左右方向に傾斜した隙間部３３を有する収納家具３０に適用することもできる。ここでは、隙間部３３が、端面３２ａから端面３２ｃに向けて下る方向に傾斜している場合を図示しているが、一例であってこれに限らず、傾斜方向は逆向き（すなわち、端面３２ｃから端面３２ａに向けて下る方向）でもよく、また傾斜を設けなくてもよい。さらに、扉板は、必ずしも扉板３１ａ〜３１ｃのように、複数設けなくてもよい。つまり、上下方向に１段の１つの扉板からなる収納家具であってもよい。
【００４４】
また、本発明の収納家具は、例えば、図１との対応部分に同一符号を付した図６（ｂ）に示すように、上方に左右方向に隣接する２つの扉板４１ａ，４１ｂを備えると共に、当該扉板４１ａ，４１ｂの下方に隣接して左右方向に延在した扉板４１ｃを備えており、これら扉板４１ａ，４１ｂと扉板４１ｃとの対向する端面に隙間部４２ａが設けられ、扉板４１ａと扉板４１ｂとの対向する端面に隙間部４２ｂが設けられ、これら隙間部４２ａと４２ｂとが互いに直交する方向に形成された収納家具４０に適用することもできる。
【００４５】
また、本発明の収納家具は、例えば、図１との対応部分に同一符号を付した図７（ａ）に示すように、向かって左側上方に平面視において右下方が三角形状に欠けてなる台形状の扉板６１ａと、当該欠けた三角形状と略等しい形状からなる扉板６１ｂとが互いの対向する端面に設けられた隙間部６２ｃを介在して平面視略矩形状をなすように配置され、その下方に扉板６１ｃが、扉板６２ｂとの対向する端面に隙間部６２ｂを介在して配設され、これら扉板６１ａ〜６１ｃと対向するように、上下方向に延在する隙間部６２ａを介在して向かって右側に上方に配置された扉板６１ｄと下方に配置された扉板６１ｅとが、互いの対向する端面に隙間部６２ｄを介在して配設され、隙間部６２ｂおよび６２ｄが、上下左右に離間して平行で、且つ、互いに隙間部６２ａに対して直交する方向に形成されてなる収納家具６０に適用することもできる。
【００４６】
また、本発明の収納家具は、例えば、図１との対応部分に同一符号を付した図７（ｂ）に示すように、向かって左側上方に扉板７１ａが、下方に扉板７１ｂが配置されると共に、向かって右側上方に扉板７１ｃが、下方に扉板７１ｄが配置され、これら左右の扉板７１ａと７１ｃ、および、扉板７１ｂと７１ｄが、互いの対向する端面に隙間部７２ａおよび、これと同一線上に延在する隙間部７２ｂを介在して左右対象に配設され、それぞれ上下に隣接する扉板７１ａと７１ｂ、および、扉板７１ｃと７１ｄの対向する端面に、隙間部７２ａおよび隙間部７２ｂの交わる部分を頂点として、側方側へ向かって下るように傾斜してなる隙間部７２ｃおよび隙間部７２ｄを設けてなる収納家具７０に適用することもできる。
【００４７】
要は、本発明の収納家具は、左右一対の側面板と、上下一対の水平板とにより構成される収納空間と、当該収納空間の前面側に形成された開口部に開閉自在に配置され、収納空間の前面側を塞ぐように設けられた扉板と、を備えた収納家具であって、扉板の端面に、当該扉板の後面側に位置する収納空間と、当該扉板の前面側に位置する外部空間とを連通し、人の手の指先が挿入可能な程度の幅からなる隙間部を有するものであれば、この他種々の収納家具を広く適用することが可能である。
【符号の説明】
【００４８】
１，２０，３０，４０，６０，７０…収納家具
２…側面板
３…水平板
４…収納空間
４ａ…開口部
５，５ａ〜５ｋ…扉板
５１，５１ａ〜５１ｆ…端面
６，７ａ〜７ｃ…仕切板
１０…隙間部
１１，２１…棚板
２２…目隠し板
【図１】
2014045825.tif 000003
【図２】
2014045825.tif 000004
【図３】
2014045825.tif 000005
【図４】
2014045825.tif 000006
【図５】
2014045825.tif 000007
【図６】
2014045825.tif 000008
【図７】
2014045825.tif 000009